(57)【要約】【課題】感光ドラムの感光体上に高精度な静電潜像を効率よく形成することにより、ガラス基板上に高精度なトナーの画像を高速に形成する。【解決手段】トナー画像形成装置の潜像形成部４では、外周面に沿って複数の開口列が配列形成された円筒部材４１の内部に光源部４２が設けられ、円筒部材４１が感光ドラム３１の回転に同期して回転しつつ、光源部４２から出射される光が、回転する円筒部材４１の一部の開口列を介して感光体３１２に照射される。これにより、開口列５１を通過した光の感光体３１２上の照射領域が感光体３１２の表面の移動と同じ速度にて同じ方向に移動して、感光体３１２上に開口列に応じた高精度な静電潜像が効率よく形成される。その結果、トナー画像形成装置ではガラス基板上に高精度なトナー画像を高速に形成することができる。【選択図】図２．Ｂ
2006321055.tif 000002
【特許請求の範囲】
【請求項１】
対象物上にトナーの画像を形成するトナー画像形成装置であって、
回転軸を中心とする円筒状の感光体を有するとともに前記回転軸を中心として回転する感光ドラムと、
帯電後の前記感光体に光を照射して静電潜像を形成する潜像形成部と、
前記感光体上の静電潜像にトナーを付与する現像部と、
前記感光体上の前記トナーを対象物に転写する転写部と、
を備え、
前記潜像形成部が、
光源部と、
前記光源部と前記感光ドラムとの間に設けられ、前記光源部からの光が通過する複数の光通過領域を前記回転軸に平行に配列した光通過領域列を有するマスク部と、
前記感光ドラムの回転に同期して前記複数の光通過領域を移動することにより、前記光通過領域列を通過した光の前記感光体上における照射領域を前記感光体の表面の移動と同じ速度で同じ方向に移動する照射領域移動手段と、
を有することを特徴とするトナー画像形成装置。
【請求項２】
請求項１に記載のトナー画像形成装置であって、
前記マスク部が、中心軸が前記回転軸に平行な円筒状であって、内部に前記光源部が配置されるとともに側面に沿って複数の光通過領域列が配列形成された円筒部材の一部であり、
前記照射領域移動手段が、前記円筒部材を前記中心軸を中心として回転する回転機構であることを特徴とするトナー画像形成装置。
【請求項３】
請求項１に記載のトナー画像形成装置であって、
前記マスク部が、内部に前記光源部が配置されるとともに表面に沿って複数の光通過領域列が配列形成された環状ベルトの一部であり、
前記照射領域移動手段が、前記環状ベルトを前記回転軸に平行な複数の軸の周りを経由して循環移動する移動機構であることを特徴とするトナー画像形成装置。
【請求項４】
請求項１に記載のトナー画像形成装置であって、
前記マスク部が、二次元配列された複数のシャッタ要素を有する液晶シャッタアレイであり、
前記照射領域移動手段が、前記複数のシャッタ要素のそれぞれのＯＮ／ＯＦＦ制御を行う駆動制御部であることを特徴とするトナー画像形成装置。
【請求項５】
請求項２または３に記載のトナー画像形成装置であって、
前記光源部が、前記マスク部に向けて前記回転軸に平行な方向に伸びるスリット光を照射することを特徴とするトナー画像形成装置。
【請求項６】
請求項５に記載のトナー画像形成装置であって、
前記マスク部の前記感光体側の表面が絶縁性を有し、
前記マスク部が、前記光源部からのスリット光が照射される部位において前記感光体に当接することを特徴とするトナー画像形成装置。
【請求項７】
請求項１ないし５のいずれかに記載のトナー画像形成装置であって、
前記潜像形成部が、前記光源部から出射されて前記マスク部を通過した光を前記感光体上へと導くレンズを有することを特徴とするトナー画像形成装置。
【請求項８】
請求項１ないし７のいずれかに記載のトナー画像形成装置であって、
前記マスク部の前記光通過領域以外の領域において、前記感光体側から前記マスク部へと入射する光の反射が防止されることを特徴とするトナー画像形成装置。
【請求項９】
請求項１ないし８のいずれかに記載のトナー画像形成装置であって、
前記対象物が表示装置に使用されるカラーフィルタのフィルタ基材であり、
前記トナーが、前記フィルタ基材上において定着されることによりフィルタ層となるカラートナーであることを特徴とするトナー画像形成装置。
【請求項１０】
対象物上にトナーの画像を形成するトナー画像形成方法であって、
回転軸を中心として回転する感光ドラムが有する前記回転軸を中心とする円筒状の感光体を帯電させた後に、前記感光体に光を照射して静電潜像を形成する潜像形成工程と、
前記感光体上の静電潜像にトナーを付与する現像工程と、
前記感光体上の前記トナーを対象物に転写する転写工程と、
を備え、
前記潜像形成工程において、光源部と前記感光ドラムとの間に、前記光源部からの光が通過する複数の光通過領域を前記回転軸に平行に配列した光通過領域列を有するマスク部が設けられ、前記感光ドラムの回転に同期して前記複数の光通過領域を移動することにより、前記光通過領域列を通過した光の前記感光体上における照射領域が前記感光体の表面の移動と同じ速度で同じ方向に移動することを特徴とするトナー画像形成方法。
【発明の詳細な説明】
【技術分野】
【０００１】
本発明は、対象物上にトナーの画像を形成する技術に関する。
【背景技術】
【０００２】
ＴＶ装置やコンピュータの表示部に用いられる液晶表示装置等には、従来よりカラーフィルタが利用されており、カラーフィルタを製造する手法として、染色法や、顔料分散法、あるいは、電着法が知られている。これらの手法では、フォトリソグラフィ技術が利用されるため、カラーフィルタの基材となるガラス基板にパターン原板を用いてパターンを描画する（すなわち、光のパターンを照射する）工程が行われる（描画工程に用いられる装置の一例として、例えば特許文献１および２参照。）。なお、特許文献３では、描画工程に用いられる装置において、二次元配列された複数のシャッタ要素を有する液晶シャッタアレイをパターン原板に替えて利用する技術が開示されている。
【０００３】
しかしながら、フォトリソグラフィ技術を利用する場合には多くの工程が必要となるため、カラーフィルタの製造に長時間を要してしまう。また、凹版法、凸版法、シルクスクリーン法等によりインキを基板上に直接印刷する印刷法も知られているが、印刷法では極めて特殊な技術が必要となる。
【０００４】
一方、ガラス基板に設けられた透明光導電層上に静電潜像を形成し、静電潜像にトナーを付与してカラーフィルタを製造する電子写真法も知られている。電子写真法では、感光性材料の塗布等の煩雑な工程を経ることがないため短時間に、また、廃材がほとんど生じないため低コストにてカラーフィルタを製造することが可能となる。また、特許文献４では、感光ドラムの周囲に配置された帯電器、潜像形成部および現像部により感光ドラムの感光体上にトナー画像を形成し、感光ドラムとガラス基板との間にギャップを設けつつ感光体上のトナーをガラス基板に転写する印刷装置が開示されている。このような印刷装置では、ガラス基板上に透明光導電層を形成することなく、カラーフィルタを製造することができる。
【特許文献１】特開平５−３３５２０５号公報
【特許文献２】特開２００３−８４４４５号公報
【特許文献３】特開平７−３７７７３号公報
【特許文献４】特表２００２−５２７７８３号公報
【発明の開示】
【発明が解決しようとする課題】
【０００５】
ところで、電子写真法において感光ドラムの感光体上に静電潜像を形成する際には、一般的に、複数の発光ダイオード（ＬＥＤ）を配列した光源を有するＬＥＤヘッドや、レーザから出射されるレーザ光を走査するヘッドが潜像形成部として利用される。専用のＬＥＤヘッドとしては、現状、１２００ｄｐｉ（dot per inch）の解像度にて感光体上に静電潜像が形成可能なものが市販されているが、ＴＶ装置やコンピュータの表示部に用いられる液晶表示装置等では、微細なピッチにて複数の画素が配列されるカラーフィルタが利用されるため、静電潜像をより高解像度にて形成する必要がある。ＬＥＤヘッドの解像度を向上する（例えば、２４００ｄｐｉとする）ことも技術的には可能とされるが、実用化に要するコストが増大してしまう。また、レーザ光を走査するヘッドを利用することにより、５０００ｄｐｉの解像度にて静電潜像を形成することも可能であるが、このようなヘッドでは静電潜像の形成に長時間を要してしまう。さらに、一般的には、感光体上に形成される静電潜像の解像度を高くするほど、入力される描画データのサイズも大きくなり、潜像形成部における処理の高速化が難しくなる。
【０００６】
本発明は上記課題に鑑みなされたものであり、感光ドラムの感光体上に高精度な静電潜像を効率よく形成することにより、ガラス基板上に高精度なトナーの画像を高速に形成することを目的としている。
【課題を解決するための手段】
【０００７】
請求項１に記載の発明は、対象物上にトナーの画像を形成するトナー画像形成装置であって、回転軸を中心とする円筒状の感光体を有するとともに前記回転軸を中心として回転する感光ドラムと、帯電後の前記感光体に光を照射して静電潜像を形成する潜像形成部と、前記感光体上の静電潜像にトナーを付与する現像部と、前記感光体上の前記トナーを対象物に転写する転写部とを備え、前記潜像形成部が、光源部と、前記光源部と前記感光ドラムとの間に設けられ、前記光源部からの光が通過する複数の光通過領域を前記回転軸に平行に配列した光通過領域列を有するマスク部と、前記感光ドラムの回転に同期して前記複数の光通過領域を移動することにより、前記光通過領域列を通過した光の前記感光体上における照射領域を前記感光体の表面の移動と同じ速度で同じ方向に移動する照射領域移動手段とを有する。
【０００８】
請求項２に記載の発明は、請求項１に記載のトナー画像形成装置であって、前記マスク部が、中心軸が前記回転軸に平行な円筒状であって、内部に前記光源部が配置されるとともに側面に沿って複数の光通過領域列が配列形成された円筒部材の一部であり、前記照射領域移動手段が、前記円筒部材を前記中心軸を中心として回転する回転機構である。
【０００９】
請求項３に記載の発明は、請求項１に記載のトナー画像形成装置であって、前記マスク部が、内部に前記光源部が配置されるとともに表面に沿って複数の光通過領域列が配列形成された環状ベルトの一部であり、前記照射領域移動手段が、前記環状ベルトを前記回転軸に平行な複数の軸の周りを経由して循環移動する移動機構である。
【００１０】
請求項４に記載の発明は、請求項１に記載のトナー画像形成装置であって、前記マスク部が、二次元配列された複数のシャッタ要素を有する液晶シャッタアレイであり、前記照射領域移動手段が、前記複数のシャッタ要素のそれぞれのＯＮ／ＯＦＦ制御を行う駆動制御部である。
【００１１】
請求項５に記載の発明は、請求項２または３に記載のトナー画像形成装置であって、前記光源部が、前記マスク部に向けて前記回転軸に平行な方向に伸びるスリット光を照射する。
【００１２】
請求項６に記載の発明は、請求項５に記載のトナー画像形成装置であって、前記マスク部の前記感光体側の表面が絶縁性を有し、前記マスク部が、前記光源部からのスリット光が照射される部位において前記感光体に当接する。
【００１３】
請求項７に記載の発明は、請求項１ないし５のいずれかに記載のトナー画像形成装置であって、前記潜像形成部が、前記光源部から出射されて前記マスク部を通過した光を前記感光体上へと導くレンズを有する。
【００１４】
請求項８に記載の発明は、請求項１ないし７のいずれかに記載のトナー画像形成装置であって、前記マスク部の前記光通過領域以外の領域において、前記感光体側から前記マスク部へと入射する光の反射が防止される。
【００１５】
請求項９に記載の発明は、請求項１ないし８のいずれかに記載のトナー画像形成装置であって、前記対象物が表示装置に使用されるカラーフィルタのフィルタ基材であり、前記トナーが、前記フィルタ基材上において定着されることによりフィルタ層となるカラートナーである。
【００１６】
請求項１０に記載の発明は、対象物上にトナーの画像を形成するトナー画像形成方法であって、回転軸を中心として回転する感光ドラムが有する前記回転軸を中心とする円筒状の感光体を帯電させた後に、前記感光体に光を照射して静電潜像を形成する潜像形成工程と、前記感光体上の静電潜像にトナーを付与する現像工程と、前記感光体上の前記トナーを対象物に転写する転写工程とを備え、前記潜像形成工程において、光源部と前記感光ドラムとの間に、前記光源部からの光が通過する複数の光通過領域を前記回転軸に平行に配列した光通過領域列を有するマスク部が設けられ、前記感光ドラムの回転に同期して前記複数の光通過領域を移動することにより、前記光通過領域列を通過した光の前記感光体上における照射領域が前記感光体の表面の移動と同じ速度で同じ方向に移動する。
【発明の効果】
【００１７】
本発明によれば、感光体上に高精度な静電潜像を効率よく形成することにより、対象物上に高精度なトナーの画像を高速に形成することができる。
【００１８】
また、請求項２および３の発明では、感光体上に静電潜像を連続的に形成することができ、請求項４の発明では、感光体上に形成される静電潜像を容易に変更することができる。
【００１９】
また、請求項５の発明では、マスク部上の不要な部位への光の照射を防止することにより、感光体上に静電潜像を精度よく形成することができ、請求項６の発明では、感光体上に静電潜像をより精度よく形成することができる。
【００２０】
また、請求項７の発明では、感光体とマスク部とを離しつつ感光体上に静電潜像をより精度よく形成することができ、請求項８の発明では、感光体側からマスク部へと入射する光の反射により感光体上の静電潜像の質が低下することを防止することができ、請求項９の発明では、カラーフィルタを短時間にて製造することができる。
【発明を実施するための最良の形態】
【００２１】
図１は本発明の第１の実施の形態に係るトナー画像形成装置１の構成を示す図である。本実施の形態におけるトナー画像形成装置１は電子写真法を用いてガラス基板上にトナーの画像を形成する装置であり、トナー画像は下流の図示省略の定着装置を経由してガラス基板上に定着されることにより液晶表示装置用のカラーフィルタが製造される。なお、実際には、Ｒ（赤）、Ｇ（緑）、Ｂ（青）の各色のトナーに対応する３つのトナー画像形成装置１と定着装置とが一列に設けられる。
【００２２】
トナー画像形成装置１は、ガラス基板９を図１中のＹ方向へと水平に移動する基板移動機構２、および、基板移動機構２上のガラス基板９に対向するとともに電子写真法にて感光ドラム上にＲ、ＧまたはＢの色のカラーのトナー画像を形成するプロセスユニット３を備える。
【００２３】
基板移動機構２は、それぞれが図１中のＸ方向に水平に伸びる複数の搬送用ローラ２１をＹ方向に配列して有する。複数の搬送用ローラ２１の一部にはモータが接続され、複数の搬送用ローラ２１によりガラス基板９の下面（プロセスユニット３とは反対側の主面）が支持されつつガラス基板９がＹ方向へと移動する。ガラス基板９の下側においてプロセスユニット３に対向する位置には転写ローラ２２が設けられ、転写ローラ２２によりプロセスユニット３の感光ドラム上のトナー（Ｒ、ＧもしくはＢの色のカラートナー）がガラス基板９上に転写される。
【００２４】
プロセスユニット３は、図示省略のモータに減速機を介して接続された感光ドラム３１を備え、感光ドラム３１は図１中のＸ方向に平行な回転軸Ｊ１を中心に回転可能に支持される。感光ドラム３１は、アルミニウム等の金属により形成されるとともに回転軸Ｊ１を中心とするドラム本体３１１を有し、ドラム本体３１１は電気的に接地される。ドラム本体３１１の外周面には、例えば、フタロシアニン顔料を有する単層型有機感光体（以下、単に「感光体３１２」という。）が一様に塗布される（または、蒸着される）。なお、感光体３１２はフタロシアニン顔料を有する単層型有機感光体以外の材料により形成されてもよい。
【００２５】
プロセスユニット３は、感光ドラム３１に対向して設けられる帯電器３２をさらに有し、帯電器３２はイオンを発生して感光体３１２を帯電させる。また、感光ドラム３１の周囲には帯電器３２から時計回りに、画像形成用の光を出射して感光体３１２に静電潜像を形成する潜像形成部４、感光体３１２上に形成された静電潜像に湿式トナー（例えば、イソパラフィン系の絶縁性の溶媒に分散しているトナー）を付与して現像する現像部３３、感光体３１２の表面をクリーニングするクリーナ３４、並びに、光を出射して感光体３１２を除電する除電器３５が配置される。なお、現像部３３は現像液である湿式トナーを供給するトナー供給部（図示省略）に接続される。また、上述の転写ローラ２２は現像部３３とクリーナ３４との間に設けられる。
【００２６】
図２．Ａは、潜像形成部４の構成を示す縦断面図であり、図２．Ｂは図２．Ａ中の矢印Ａ−Ａにて示す位置における断面図である。なお、図２．Ｂでは感光ドラム３１の一部も図示している。潜像形成部４は図２．Ａおよび図２．Ｂ中のＸ方向に平行な中心軸Ｊ２を中心とする円筒状の円筒部材４１を有し、円筒部材４１のＸ方向の長さは感光ドラム３１とほぼ同じにされる。図２．Ａに示すように、円筒部材４１の（＋Ｘ）側および（−Ｘ）側のそれぞれには中心軸Ｊ２を中心とする円筒状の円筒支持部４０１が設けられ、各円筒支持部４０１はベアリング４０２を介して後述の支持棒４０４により回転可能に支持される。各円筒支持部４０１の円筒部材４１側にはフランジ４０３が形成され、円筒部材４１の両端面はフランジ４０３に固定されて円筒部材４１が支持される。
【００２７】
また、潜像形成部４には、モータ４３１を有する回転機構４３が設けられる。モータ４３１の回転軸にはギア４３２が取り付けられ、回転するギア４３２が円筒支持部４０１に形成されるギアに係合して、円筒部材４１が中心軸Ｊ２を中心として回転する。回転機構４３はベルトを介して円筒支持部４０１を回転する機構とされてもよい。また、円筒部材４１の内部には感光体３１２に向けて光（連続光）を出射する光源部４２が配置され、光源部４２は各ベアリング４０２の穴を介して支持棒４０４によりＸ方向の両側から支持される。支持棒４０４は円筒支持部４０１よりも外側にて固定される。
【００２８】
図２．Ｂに示すように、光源部４２はランプやＬＥＤアレイ等の光源４２１、および、光源４２１が内部に設けられる遮光ボックス４２２を有する。遮光ボックス４２２の感光ドラム３１に対向する部位にはＸ方向に細長いスリット状の開口４２３が形成され、開口４２３を介してＸ方向に伸びるスリット状の光（以下、単に「スリット光」という。）が出射される。スリット光は光源部４２と感光体３１２との間に位置する円筒部材４１の内周面の一部分に向けて照射される。なお、潜像形成部４では、支持棒４０４の内部を中空として光源部４２の光源４２１が交換可能に設計されてもよい。
【００２９】
図３は円筒部材４１の縦断面の一部を示す図であり、図４は円筒部材４１の外周面の一部を示す図である。図３に示すように、円筒部材４１はガラスや樹脂にて形成される円筒状の透明基材４１１を有し、透明基材４１１の外周面には、遮光性を有する材料にて黒色の遮光パターン４１２（図３および図４中において、平行斜線を付して示す。）が形成される。図４に示すように、遮光パターン４１２は配列された複数の矩形領域以外の領域を覆うように形成されており、光源部４２からのスリット光のうち遮光パターン４１２の領域に照射される光は遮蔽され、遮光パターン４１２以外の領域（矩形領域）へと照射される光は円筒部材４１を透過して感光体３１２上に照射される。すなわち、円筒部材４１の外周面には、光源部４２からの光が通過する複数の開口（光学的な開口）５１１が配列形成され、Ｘ方向に一列に並ぶ複数の開口５１１を開口列５１として捉えると、複数の開口列５１が外周面に沿って周方向に一定のピッチにて配列された状態となっている。図３に示すように、各開口５１１の外周面に沿う方向の長さをＬ１、この方向に関して互いに隣接する２つの開口５１１間の間隙の幅をＬ２とすると、円筒部材４１の外周の長さは（Ｌ１＋Ｌ２）の整数倍（すなわち、ｎを自然数として、（（Ｌ１＋Ｌ２）×ｎ））とされる。
【００３０】
図５は、トナー画像形成装置１がガラス基板９上にトナーの画像を形成する処理の流れを示す図である。なお、図５中のステップＳ１２〜Ｓ１５は感光体３１２の一部に注目した処理の流れを示しており、感光体３１２全体に対しては実際には時間的にほぼ並行して行われる。
【００３１】
図１のトナー画像形成装置１では、まず、感光ドラム３１が回転軸Ｊ１を中心に時計回り（すなわち、図１および図２．Ｂ中の矢印７１が示す回転方向）に一定の速度にて回転を開始するとともにガラス基板９も（＋Ｙ）方向へと一定の速度にて移動を開始する（ステップＳ１１）。プロセスユニット３では感光ドラム３１の回転により、回転軸Ｊ１を中心とする円筒状の感光体３１２が、周囲に配置された各周辺構成（すなわち、帯電器３２、潜像形成部４、現像部３３、クリーナ３４および除電器３５）に対して連続的に移動し、これらの周辺構成による感光体３１２に対する処理が開始される。なお、本実施の形態におけるガラス基板９では、上面（すなわち、プロセスユニット３に対向する面）に格子状のブラックマトリクスが他の装置により予め形成されている。
【００３２】
帯電器３２では、対向する位置へと到達する感光体３１２の一部（以下、「対象部位」と呼ぶ。）に電荷が順次付与され、対象部位の表面を一様に帯電させる（ステップＳ１２）。帯電後の対象部位は潜像形成部４の光の照射位置へと連続的に移動する。
【００３３】
潜像形成部４では、図２．Ａに示す回転機構４３が図２．Ｂに示すように円筒部材４１を中心軸Ｊ２を中心に反時計回り（すなわち、図２．Ｂ中の矢印７２が示す回転方向）に一定の速度にて回転しつつ、光源部４２からのスリット光が円筒部材４１のうち光源部４２と感光ドラム３１との間に位置する部位に連続的に照射される。このとき、円筒部材４１の外周における線速度が感光ドラム３１の外周における線速度（回転軸に垂直な断面における接線方向の速度）と等しくなるように、回転機構４３が感光ドラム３１の回転に同期して円筒部材４１を回転する。
【００３４】
ここで、図４に示す円筒部材４１上の１つの開口列５１（以下、「注目開口列５１」という。）について注目すると、円筒部材４１が回転することにより、注目開口列５１が光源部４２からのスリット光が照射される円筒部材４１上の領域（図４中では二点鎖線の矩形にてスリット光が照射される領域６１の一部を示し、図３中ではこの領域６１のＹ方向の幅を符号６２を付す矢印にて示している。）内へと到達すると、注目開口列５１の各開口５１１を通過した光が、感光体３１２上の潜像形成部４に対向する部位（対象部位）に照射される。注目開口列５１を通過した光の感光体３１２上における照射領域（正確には、注目開口列５１に含まれる複数の開口５１１を通過した光がそれぞれ照射されるとともにＸ方向に並ぶ感光体３１２上の複数の領域の集合）は感光体３１２の対象部位の移動と同じ速度にて同じ方向に移動しつつ、この照射領域に光が継続して照射される。そして、注目開口列５１が領域６１の外側へと移動すると、注目開口列５１を介した感光体３１２上への光の照射が停止される。このように、注目開口列５１が領域６１内に位置する間において、注目開口列５１を通過した光が感光体３１２上の同じ領域に連続して照射され、当該領域に十分な量の光が付与される。
【００３５】
感光体３１２の対象部位において光が照射された部位は、表面の電荷が感光体３１２内に移動して除去される。また、光が照射されない部位は帯電状態がそのまま維持されるため、感光体３１２の表面には電荷の分布による画像（すなわち、静電潜像）が形成される（ステップＳ１３）。
【００３６】
実際には、円筒部材４１の外周面上における複数の開口列５１が、光源部４２に相対的に固定された領域６１に対して移動するとともに、この領域６１内に含まれる開口列５１のそれぞれを通過した光の感光体３１２上における照射領域の位置が感光体３１２に対して相対的に固定される。したがって、円筒部材４１において光源部４２と感光ドラム３１との間に位置する部位が、光を部分的に遮るマスク部としての役割を果たしつつ、円筒部材４１の回転に伴って感光体３１２上に静電潜像が連続的に形成されることとなる。
【００３７】
このとき、感光体３１２上へと照射される光の一部が円筒部材４１側へと反射される場合であっても、遮光パターン４１２の領域に向かう反射光は吸収されるとともに、遮光パターン４１２が無い領域へと向かう反射光は円筒部材４１の内部へと導かれる。したがって、感光体３１２側から円筒部材４１へと入射する光が円筒部材４１にて反射して、感光体３１２上の不要な部分に光が照射されることが防止される。
【００３８】
図１の感光ドラム３１において静電潜像が形成された部分（対象部位）は現像部３３に対向する位置へと移動し、現像部３３の上流側の現像ローラ３３１により湿式トナー（溶媒中に分散されるとともに帯電しているトナー）が静電潜像に付与される（ステップＳ１４）。このとき、現像ローラ３３１には所定の電圧が付与されており、トナーは感光体３１２上の対象部位において電荷が除去された部位にのみ付着して静電潜像が現像される。すなわち、感光体３１２の対象部位にトナー画像が形成される。
【００３９】
また、対象部位上の不要な湿式トナーは現像部３３の下流側のスキージローラ３３２により掻き取られて現像部３３へと戻される。トナー画像が形成された対象部位は、現像部３３の下流側に設けられた半導電性スポンジローラ３３３へと移動する。半導電性スポンジローラ３３３の中心にはトナーと同じ極性の電圧が付与され、対象部位上の不要な溶媒を除去しつつ、対象部位のトナーが電気的な反発力により感光体３１２に押し付けられる。
【００４０】
対象部位は転写ローラ２２に対向する位置へと移動し、転写ローラ２２にトナーとは反対の極性の所定の電圧が付与されて感光体３１２の対象部位上のトナーがガラス基板９の表面へと転写される（ステップＳ１５）。
【００４１】
対象部位は、クリーナ３４の位置へと続けて移動し、クリーナ３４により感光体３１２の対象部位に残留したトナー（すなわち、ガラス基板９に転写されなかったトナー）等の不要物が除去されて感光体３１２の表面がクリーニングされ、感光体３１２が機械的に初期状態に戻される。そして、ランプとフィルタとの組合せ、あるいは、ＬＥＤ等を有する除電器３５により光が照射されて感光体３１２が除電され、電気的に初期状態に戻される。
【００４２】
ステップＳ１２〜Ｓ１５の処理が感光体３１２上の各部位に対してほぼ並行して行われ、ガラス基板９の表面にトナーが連続して転写されると、ガラス基板９の全体への印刷が終了し、感光ドラム３１の回転が停止されるとともに、基板移動機構２が停止され、トナー画像形成装置１による印刷処理が終了する（ステップＳ１６）。これにより、ガラス基板９の上面の全体に一の色のトナーの画像が形成される。
【００４３】
既述のように、実際には、Ｒ、Ｇ、Ｂの色にそれぞれ対応する３台のトナー画像形成装置が準備され、一の色のトナー画像がガラス基板９上に形成されると、ガラス基板９が次のトナー画像形成装置へと搬送されて次の色のトナー画像が形成される。これにより、３台のトナー画像形成装置によりＲ、Ｇ、Ｂの色のトナー画像がガラス基板９上に形成され、最後に、定着装置にて加熱溶融されてガラス基板９に定着されることにより、カラーフィルタが完成する。
【００４４】
図６はトナー画像形成装置１を用いて製造されたカラーフィルタ８を示す断面図であり、図７はカラーフィルタ８を示す平面図である。図６に示すようにカラーフィルタ８は、ガラス基板であるフィルタ基材８１、および、フィルタ基材８１上に形成されるカラーのフィルタ層８２を備える。フィルタ層８２は、Ｒ、Ｇ、Ｂの３つの画素要素の集合を１つの画素として、複数の画素をフィルタ基材８１上に二次元に配列して有する。図６および図７では、Ｒの画素要素に符号８２１Ｒ、Ｇの画素要素に符号８２１Ｇ、Ｂの画素要素に符号８２１Ｂを付している。
【００４５】
前述のように、フィルタ基材８１上にはフィルタ層８２の各部位（すなわち、画素要素８２１Ｒ，８２１Ｇ，８２１Ｂ）を仕切る網目状（図７参照）のブラックマトリクス８３（図７中に平行斜線を付して示す。）が予め別工程にて形成されており、Ｒの複数の画素要素８２１Ｒ、Ｇの複数の画素要素８２１Ｇ、および、Ｂの複数の画素要素８２１ＢはそれぞれＲ用のトナー画像形成装置、Ｇ用のトナー画像形成装置およびＢ用のトナー画像形成装置において、感光体３１２上に形成された静電潜像を湿式の当該色のカラートナーにて現像した後に感光体３１２上のカラートナーをガラス基板９に転写し、さらに、熱を利用してガラス基板９に定着させることにより形成される。また、カラーフィルタ８が液晶表示装置に用いられる際には、他の装置によりフィルタ層８２およびブラックマトリクス８３を全体的に覆う透明の絶縁膜（いわゆる、オーバーコート）が形成され、絶縁膜上に透明導電層（例えば、ITO（Indium-Tin-Oxide：酸化インジウムスズ））のパターンが別途形成される。
【００４６】
以上のように、トナー画像形成装置１の潜像形成部４では、外周面に沿って複数の開口列５１が配列形成された円筒部材４１の内部に光源部４２が設けられ、円筒部材４１が感光ドラム３１の回転に同期して回転しつつ、光源部４２から出射される光が、回転する円筒部材４１の一部の開口列５１を介して感光体３１２に照射される。このとき、開口列５１を通過した光の感光体３１２上の照射領域の位置が感光体３１２に対して相対的に固定されることにより、感光体３１２上に開口列５１に応じた高精度な静電潜像が効率よくかつ高速に形成される。その結果、発光ダイオードやレーザからの光のスポットを走査するタイプの潜像形成部を設ける場合に比べて、トナー画像形成装置１ではガラス基板９上に高精度なトナー画像を高速に形成することができ、カラーフィルタ８を短時間で製造することができる。
【００４７】
また、潜像形成部４では、光源部４２から回転軸Ｊ１に平行なＸ方向に伸びるスリット光が、光源部４２と感光ドラム３１との間にマスク部として位置する円筒部材４１の一部に照射される。これにより、円筒部材４１の不要な部位への光の照射を防止して、感光体３１２上に静電潜像を精度よく形成することができる。さらに、感光体３１２上へと照射される光が円筒部材４１側へと反射する等して、感光体３１２側から円筒部材４１へと光が入射した場合であっても、円筒部材４１では、開口５１１以外の領域へと入射する光の反射を防止する反射防止層としての役割が遮光パターン４１２により果たされるため、感光体３１２側から円筒部材４１へと入射する光の反射により感光体３１２上の静電潜像の質が低下する（例えば、コントラストが低下する）ことを防止することができる。
【００４８】
図８は潜像形成部の他の例を示す図である。図８の潜像形成部４ａでは、円筒部材４１の外周面において、遮光パターン４１２を覆う透明の絶縁層４１３（図８中において、太線にて示す。）が形成される。また、円筒部材４１は光源部４２からのスリット光が照射される部位において感光体３１２と当接し、各開口５１１（図４参照）を通過する光は絶縁層４１３を介して感光体３１２上へと照射される。
【００４９】
図８の潜像形成部４ａを有するトナー画像形成装置においても、図１のトナー画像形成装置１と同様に、円筒部材４１の外周における線速度と感光ドラム３１の外周における線速度とが等しくされ、円筒部材４１の外周面の一部と密着しつつ同じ速度で同じ方向に移動する感光体３１２上の部位に対して、開口列５１を介して光が照射される。このとき、円筒部材４１の感光体３１２側の表面（すなわち、外周面）は絶縁性を有するため、帯電した感光体３１２の電荷が円筒部材４１により消失することが抑制される。
【００５０】
ここで、図２．Ｂの潜像形成部４では円筒部材４１と感光ドラム３１との間に僅かではあるが間隙が設けられるため、感光体３１２上に形成される静電潜像の形状精度に一定の限界が生じる。これに対し、潜像形成部４ａでは、光源部４２からのスリット光が照射される部位において円筒部材４１が感光体３１２に当接するため、簡単な構造にて感光体３１２上に静電潜像をより精度よく形成することができ、ガラス基板９上により高精度なトナー画像を短時間に形成することができる。なお、図８の潜像形成部４ａでは、絶縁層４１３を形成することにより円筒部材４１の外周面が絶縁性とされるが、絶縁層４１３が無い場合であっても円筒部材４１の外周面が十分な絶縁性を有する場合には、絶縁層４１３は省略されてもよい（後述する、第２の実施の形態の環状ベルト４５を感光体３１２に当接させる場合において同様）。
【００５１】
図９は潜像形成部のさらに他の例を示す図である。図９の潜像形成部４ｂでは、円筒部材４１と感光体３１２との間に、複数のレンズがＸ方向に配列されたレンズアレイ４４（例えば、セルフォックレンズアレイ（（商品名）：日本板硝子社製））が配置され、レンズアレイ４４により円筒部材４１上のスリット光が照射される部位の像が感光体３１２上に形成される。
【００５２】
図９の潜像形成部４ｂを有するトナー画像形成装置においても、図１のトナー画像形成装置１と同様に、光源部４２と感光ドラム３１との間において開口列５１（図４参照）が感光ドラム３１の回転軸Ｊ１（図１参照）に垂直な方向に感光ドラム３１の回転に同期して移動する。そして、光源部４２から出射されて開口列５１を通過した光がレンズアレイ４４により感光体３１２上へと導かれ、感光体３１２上における光の照射領域が感光体３１２の表面の移動と同じ速度で同じ方向に移動する。これにより、感光体３１２と円筒部材４１との間を離した状態にて、感光体３１２上に静電潜像をより精度よく形成することができ、ガラス基板９上により高精度なトナー画像を高速に形成することができる。
【００５３】
図１０は、本発明の第２の実施の形態に係る潜像形成部４ｃを示す図である。潜像形成部４ｃでは、図２．Ａおよび図２．Ｂに示す潜像形成部４の円筒部材４１に代えて環状のベルト（以下、「環状ベルト」という。）４５が設けられる。潜像形成部４ｃでは、環状ベルト４５は、それぞれが感光ドラム３１の回転軸Ｊ１（図１参照）に平行な中心軸Ｊ３，Ｊ４を中心に回転可能な２つのローラ４５１，４５２に掛けられる。ローラ４５１は、ガラスや樹脂にて形成される透明な円筒状であり、感光ドラム３１に近接して設けられ、ローラ４５１（以下、「円筒ローラ４５１」という。）の内部には光源部４２が配置される。円筒ローラ４５１は、図２．Ａの円筒部材４１に対するものと同様の構成（円筒支持部４０１、ベアリング４０２およびフランジ４０３）により回転可能に支持され、回転機構４３により中心軸Ｊ３を中心として回転する。
【００５４】
環状ベルト４５は、例えば樹脂にて形成される透明のエンドレスベルトを基材として有し、エンドレスベルトの表面に遮光パターンが設けられることにより複数の開口が形成される。環状ベルト４５においても、図４の円筒部材４１と同様に、Ｘ方向に並ぶ複数の開口を開口列として、複数の開口列が表面に沿って周方向に配列形成される。また、環状ベルト４５の周方向に沿う各開口の長さをＬ３、この方向に関して互いに隣接する２つの開口間の間隙の幅をＬ４として、環状ベルト４５の長さは（Ｌ３＋Ｌ４）の整数倍とされる。なお、環状ベルト４５のＸ方向の幅は感光ドラム３１とほぼ同じとされる。
【００５５】
図１０に示す潜像形成部４ｃを有するトナー画像形成装置では、回転機構４３（図２．Ａ参照）が円筒ローラ４５１を回転することにより、環状ベルト４５が円筒ローラ４５１およびローラ４５２の周りを経由して循環移動する。そして、光源部４２と感光体３１２との間に位置する環状ベルト４５の一部の開口列に向けて光源部４２からのスリット光が照射される。このとき、感光ドラム３１の回転に同期して回転機構４３が環状ベルト４５を循環移動することにより、環状ベルト４５上の開口列を通過した光の感光体３１２上における照射領域の位置が感光体３１２に対して相対的に固定され、感光体３１２上に十分な光量が付与されて静電潜像が形成される。実際には、環状ベルト４５では表面に沿って複数の開口列が配列形成されることにより、感光体３１２上に静電潜像が連続的に形成される。
【００５６】
また、環状ベルト４５の開口以外の領域では、感光体３１２側から環状ベルト４５へと入射する光の反射が防止されるようになっており、感光体３１２上の静電潜像の質が低下することが防止される。そして、感光体３１２上の静電潜像に現像部３３によりトナーが付与されて感光体３１２上にトナー画像が形成され、感光体３１２上のトナー画像がガラス基板９に転写される（図１参照）。
【００５７】
このようにして、Ｒ、Ｇ、Ｂの各色用のトナー画像形成装置にてガラス基板９上に各色のトナー画像が形成され、定着装置を経由することにより、カラーフィルタが完成する。
【００５８】
以上のように、図１０の潜像形成部４ｃを有するトナー画像形成装置では、内部に光源部４２が配置される環状ベルト４５が設けられ、回転機構４３により感光ドラム３１の回転に同期して環状ベルト４５が感光ドラム３１の回転軸Ｊ１に平行な複数の中心軸Ｊ３，Ｊ４の周りを経由して循環移動する。これにより、環状ベルト４５において光源部４２と感光ドラム３１との間に位置する部位が光を部分的に遮るマスク部としての役割を果たしつつ、開口列を通過した光の感光体３１２上における照射領域が感光体３１２の表面の移動と同じ速度にて同じ方向に移動して、感光体３１２上に高精度な静電潜像が効率よくかつ高速に形成される。その結果、潜像形成部４ｃを有するトナー画像形成装置ではガラス基板９上に高精度なトナー画像を高速に形成することができる。
【００５９】
また、図１０の潜像形成部４ｃにおいても、図８の潜像形成部４ａと同様に、環状ベルト４５の感光体３１２側（すなわち、外側）の表面に絶縁層が形成され、環状ベルト４５が光源部４２からのスリット光が照射される部位において感光体３１２と当接して、感光体３１２上により精度よく静電潜像が形成されてもよい。さらに、図９の潜像形成部４ｂと同様に、感光体３１２との間にレンズアレイ４４が設けられ、感光体３１２と潜像形成部４ｃとの間を離しつつ感光体３１２上により精度よく静電潜像が形成されてもよい。
【００６０】
図１１は、本発明の第３の実施の形態に係る潜像形成部４ｄを示す図である。潜像形成部４ｄでは、光源部４２と感光体３１２との間に駆動制御部４７が接続された液晶シャッタアレイ４６が設けられる。
【００６１】
液晶シャッタアレイ４６は二次元配列された複数の微小なシャッタ要素を有し、駆動制御部４７により複数のシャッタ要素のそれぞれの液晶を利用したＯＮ／ＯＦＦ制御が行われる。各シャッタ要素はＯＮとされることにより光源部４２から照射される光を透過する状態となり、ＯＦＦとされることにより光を遮光する状態となる。そして、シャッタ要素の配列上に想定される複数の矩形領域のそれぞれに含まれるシャッタ要素のみをＯＮの状態とすることにより、液晶シャッタアレイ４６において図４の開口５１１に相当する複数の開口（光学的な開口）が配列形成される。また、液晶シャッタアレイ４６の感光体３１２側の全体には反射防止層が形成され、感光体３１２側から液晶シャッタアレイ４６へと入射する光の反射が防止される。なお、図１１中のＸ方向に関して液晶シャッタアレイ４６は感光ドラム３１とほぼ同じ長さとされる。
【００６２】
図１１の潜像形成部４ｄを有するトナー画像形成装置において、ガラス基板９上にトナー画像を形成する際には、液晶シャッタアレイ４６において複数の開口の位置を感光ドラム３１の回転に同期して移動しつつ液晶シャッタアレイ４６にスリット光が照射される。
【００６３】
図１２．Ａおよび図１２．Ｂのそれぞれは液晶シャッタアレイ４６において形成される複数の開口５２１の一部を示す図である。実際には、液晶シャッタアレイ４６では、Ｘ方向に多数の開口５２１が並んでいる。なお、図１２．Ａおよび図１２．Ｂでは、液晶シャッタアレイ４６上において光源部４２からのスリット光が照射される領域６３の一部を二点鎖線にて示している。
【００６４】
駆動制御部４７が液晶シャッタアレイ４６の各シャッタ要素のＯＮ／ＯＦＦ制御を行うことにより、図１２．Ａに示すように、液晶シャッタアレイ４６にはＸ方向に並ぶ複数の開口５２１を開口列５２として、複数の開口列５２がＹ方向に一定のピッチにて配列される。図１２．Ａにおいて符号５２ａを付す（＋Ｙ）側の開口列に注目すると、駆動制御部４７の制御により開口列５２ａは（−Ｙ）方向へと一定の速度にて連続的に移動し、所定時間経過後には図１２．Ｂに示す位置まで到達する。その後、さらに（−Ｙ）方向へと同じ速度にて移動し、液晶シャッタアレイ４６の（−Ｙ）側の部分において、開口列５２ａの（−Ｙ）側の部位から順に消失する。これに並行して、液晶シャッタアレイ４６の（＋Ｙ）側の部分において複数の開口列５２が一定の間隔にて順次出現する。以上の動作により、複数の開口列５２が（−Ｙ）方向へと一定の速度にて連続的に移動する。
【００６５】
このとき、液晶シャッタアレイ４６上において領域６３に含まれる各開口列５２の開口５２１では、光源部４２から照射される光が透過して感光体３１２上へと照射され、開口５２１以外の領域では光が遮蔽される。また、各開口列５２を通過した光の感光体３１２上における照射領域が感光体３１２上の表面の移動と同じ速度で同じ方向に移動するように、液晶シャッタアレイ４６上における複数の開口列５２の移動が、感光ドラム３１の回転に同期して制御されることにより、照射領域に十分な光量が付与されて感光体３１２上に静電潜像が形成される。そして、感光体３１２上の静電潜像に現像部３３によりトナーが付与されて感光体３１２上にトナー画像が形成され、感光体３１２上のトナー画像がガラス基板９に転写されてガラス基板９上にトナー画像が形成される（図１参照）。
【００６６】
このようにして、Ｒ、Ｇ、Ｂの各色用のトナー画像形成装置にてガラス基板９上に各色のトナー画像が形成され、定着装置を経由することにより、カラーフィルタが完成する。
【００６７】
以上のように、図１１の潜像形成部４ｄでは、二次元配列された複数のシャッタ要素を有する液晶シャッタアレイ４６が設けられ、液晶シャッタアレイ４６上において光源部４２からの光が通過する複数の開口５２１を感光ドラム３１の回転軸Ｊ１に平行に配列した開口列５２が形成される。そして、感光ドラム３１の回転に同期して開口列５２を回転軸Ｊ１に垂直な方向に移動することにより、開口列５２を通過した光の感光体３１２上における照射領域を感光体３１２に対して相対的に固定しつつ照射領域へと連続的に光が照射され、感光体３１２上に高精度な静電潜像が効率よくかつ高速に形成される。その結果、潜像形成部４ｄを有するトナー画像形成装置では、ガラス基板９上に高精度なトナー画像を短時間に形成することができる。
【００６８】
また、図１１の潜像形成部４ｄでは、駆動制御部４７により液晶シャッタアレイ４６の各シャッタ要素のＯＮ／ＯＦＦが自在に制御可能であるため、液晶シャッタアレイ４６における複数の開口の配列を図１２．Ａおよび図１２．Ｂとは異なるものとしたり、各開口の形状を異なるものとすることが可能である。その結果、潜像形成部４ｄでは、構成部品を交換することなく、感光体３１２上に形成される静電潜像を容易に変更することが実現される。図１１の潜像形成部４ｄにおいても、図９の潜像形成部４ｂと同様に、感光体３１２との間にレンズアレイ４４が設けられ、感光体３１２上により精度よく静電潜像が形成されてもよい。
【００６９】
以上、本発明の実施の形態について説明してきたが、本発明は上記実施の形態に限定されるものではなく、様々な変形が可能である。
【００７０】
上記第１ないし第３の実施の形態では、感光体３１２上のトナー画像がガラス基板９に直接転写されるが、感光体３１２上のトナー画像は間接的にガラス基板９に転写されてもよい。図１３は他の例に係るトナー画像形成装置１ａの構成を示す図である。トナー画像形成装置１ａでは、感光ドラム３１上のトナー画像が転写される中間転写体２３が設けられ、中間転写体２３を介してガラス基板９上にトナー画像が転写される。具体的には、中間転写体２３は環状のベルトとされ、感光ドラム３１のトナー画像が形成された部位に中間転写体２３が当接する。そして、潜像形成部４や現像部３３等により感光体３１２上に形成されたトナー画像が中間転写ローラ２３１により循環移動する中間転写体２３に転写されてガラス基板９へと送られ、転写ローラ２２により中間転写体２３とガラス基板９との間に電圧が付与されて、中間転写体２３上のトナーがガラス基板９に転写される。なお、転写後の中間転写体２３上の不要なトナーは、クリーナ２４により除去される。このように、トナー画像形成装置１ａでは、転写ローラ２２のみならず中間転写体２３や中間転写ローラ２３１も転写部として機能し、感光体３１２上のトナーが中間転写体２３に一旦転写されてからガラス基板９に転写される。
【００７１】
上記第１の実施の形態において、図３の円筒部材４１では、円筒状の透明基材４１１の内周面に遮蔽パターンが形成されてもよい。すなわち、円筒部材４１では複数の開口列が側面に沿って配列形成されることにより、感光体３１２上に静電潜像を連続的に形成することが可能となる。
【００７２】
上記第１および第２の実施の形態では、円筒部材４１または環状ベルト４５上の遮光パターンにより感光体３１２側から入射する光の反射が防止されるが、円筒部材４１または環状ベルト４５においても、第３の実施の形態における液晶シャッタアレイ４６と同様に、感光体３１２側の面の全体に反射防止層が形成されて、感光体３１２上の静電潜像の質の低下が防止されてもよい。
【００７３】
上記第１および第２の実施の形態において、円筒部材４１または環状ベルト４５に形成される複数の開口は、例えば、遮光性を有する材料にて形成された基材に物理的な開口を形成することにより実現されてもよい。また、上記第１ないし第３の実施の形態において、円筒部材４１、環状ベルト４５または液晶シャッタアレイ４６にて形成される開口は、光源部４２から出射される特定の波長の光のみを透過するものであってもよい。すなわち、トナー画像形成装置においてマスク部としての役割を果たす円筒部材４１や環状ベルト４５（正確には任意の時点においてその一部がマスク部として機能する。）または液晶シャッタアレイ４６では、光源部４２からの光が通過する複数の光通過領域が形成されることにより、感光体３１２上に静電潜像を形成することが実現される。
【００７４】
トナー画像形成装置における処理の対象物は、ガラス基板９以外に半導体基板やプリント配線基板等の他の基板であってもよく、さらに、印刷用紙やフィルム等の基板以外のものであってもよい。ただし、トナー画像形成装置においてマスク部としての役割を果たす部材（円筒部材４１、環状ベルト４５または液晶シャッタアレイ４６）には、（循環的な移動を考慮して）規則的な繰り返しパターンが形成されることが好ましいため、上記実施の形態のように光源部４２からの光が通過する複数の光通過領域を感光ドラム３１の回転軸Ｊ１に平行に配列した光通過領域列を形成して、カラーフィルタの製造に利用されることが特に好ましいといえる。この場合、トナー画像形成装置における処理の対象物はガラス基板９以外に、例えば透明の絶縁フィルムであってもよい。また、液晶表示装置用のカラーフィルタ以外に、他の表示装置用のカラーフィルタが製造されてもよい。
【図面の簡単な説明】
【００７５】
【図１】第１の実施の形態に係るトナー画像形成装置の構成を示す図である。
【図２．Ａ】潜像形成部を示す断面図である。
【図２．Ｂ】潜像形成部を示す断面図である。
【図３】円筒部材の縦断面の一部を示す図である。
【図４】円筒部材の外周面の一部を示す図である。
【図５】ガラス基板上にトナーの画像を形成する処理の流れを示す図である。
【図６】カラーフィルタを示す断面図である。
【図７】カラーフィルタを示す平面図である。
【図８】潜像形成部の他の例を示す図である。
【図９】潜像形成部のさらに他の例を示す図である。
【図１０】第２の実施の形態に係る潜像形成部を示す図である。
【図１１】第３の実施の形態に係る潜像形成部を示す図である。
【図１２．Ａ】液晶シャッタアレイにおいて形成される複数の開口を示す図である。
【図１２．Ｂ】液晶シャッタアレイにおいて形成される複数の開口を示す図である。
【図１３】トナー画像形成装置の他の例を示す図である。
【符号の説明】
【００７６】
１，１ａ    トナー画像形成装置
４，４ａ〜４ｄ    潜像形成部
８    カラーフィルタ
９    ガラス基板
２２    転写ローラ
２３    中間転写体
３１    感光ドラム
３３    現像部
４１    円筒部材
４２    光源部
４３    回転機構
４４    レンズアレイ
４５    環状ベルト
４６    液晶シャッタアレイ
４７    駆動制御部
５１，５２    開口列
８１    フィルタ基材
８２    フィルタ層
３１２    感光体
４１２    遮光パターン
５１１，５２１    開口
Ｊ１    回転軸
Ｊ２〜Ｊ４    中心軸
Ｓ１３〜Ｓ１５    ステップ
【図１】
2006321055.tif 000003
【図２．Ａ】
2006321055.tif 000004
【図２．Ｂ】
2006321055.tif 000005
【図３】
2006321055.tif 000006
【図４】
2006321055.tif 000007
【図５】
2006321055.tif 000008
【図６】
2006321055.tif 000009
【図７】
2006321055.tif 000010
【図８】
2006321055.tif 000011
【図９】
2006321055.tif 000012
【図１０】
2006321055.tif 000013
【図１１】
2006321055.tif 000014
【図１２．Ａ】
2006321055.tif 000015
【図１２．Ｂ】
2006321055.tif 000016
【図１３】
2006321055.tif 000017